(57)【要約】      （修正有）【課題】交差筋違いに容易に取り付けられる作業効率の良い枠組足場用下桟を提供する。【解決手段】枠組足場用下桟は、下桟本体２、固定金具３、スライド金具４とから構成されている。交差筋違い端部扁平部１ｂをスライド金具４の貫通孔へ挿通させ、交差筋違い端部扁平部１ｂ手前でスライド金具４の位置を決め、固定金具３をもう一方の交差筋違い端部扁平部１ｂ手前に締め付けボルトで固定する。固定金具３には、下桟本体２の回動範囲を決める締め付けボルト５と、回動軸を兼ねている締め付けボルト６、固定金具３自体を開閉するための蝶番７を備えている。【選択図】図１
0003151937.tif 000002
【実用新案登録請求の範囲】
【請求項１】
折り畳み可能な交差筋違い（１）に装着される枠組足場用下桟であって、開いた状態でＸ形となる交差筋違い（１）の下方付近に水平に掛渡される下桟本体（２）と、該下桟本体（２）の一端に設けられた固定金具（３）と、前記下桟本体（２）の他端に設けられたスライド金具（４）とからなり、前記固定金具（３）は、一端が前記下桟本体（２）に対し回動自在で、他端に前記交差筋違い（１）を挟着する挟着部を有し、前記スライド金具（４）は、一端が前記下桟本体（２）に固着され、内側に前記交差筋違い（１）を摺動自在に挿通させる貫通孔を有していることを特徴とする枠組足場用下桟。
【請求項２】
前記固定金具（３）には、前記下桟本体（２）の端部の回動を制御し、前記下桟本体（２）を水平またはほぼ水平までの回動範囲に制御するストッパーを備えている請求項１記載の枠組足場用下桟。
【請求項３】
前記固定金具（３）は、該固定金具（３）を開閉させるための蝶番（７）と、内側に前記交差筋違い（１）を挟み込んで締め付けるための１または複数の締め付けボルト（６）を有し、前記締め付けボルト（６）の一つが前記交差筋違い（１）に対し回動自在とするための回動軸を兼ねている請求項１または２記載の枠組足場用下桟。
【請求項４】
前記スライド金具（４）は、該スライド金具（４）の貫通孔の下方が前記下桟本体（２）に固定され、前記スライド金具（４）の貫通孔自体の鉛直長さ及び水平幅は前記交差筋違いの先端の幅よりも小さく、前記スライド金具（４）の貫通孔の対角長さが交差筋違いの先端の幅より大きく、前記スライド金具（４）に前記交差筋違い（１）を挿通させることにより前記交差筋違い（１）の端部が前記スライド金具（４）に引っかかる寸法になっている請求項１、２または３記載の枠組足場用下桟。
【考案の詳細な説明】
【技術分野】
【０００１】
本考案は、建築、土木等の建設現場で用いられる枠組足場の交差筋違いに装着する転落防止用下桟に関するものである。
【背景技術】
【０００２】
建設現場に架設される枠組足場は、一組の建枠間にＸ形の交差筋違いが掛渡されており、足場板上で作業をする作業者の安全を図ることができる。しかし、掛渡される交差筋違いと足場板との間に三角形の開口が形成されているため、その開口部から作業者が誤って転落してしまう危険性があった。
【０００３】
このような問題を解決するために、枠組足場における転落・墜落災害を防止するための手段として、交差筋違いの下部三角形開口部を形成するブレースに転落防止用下桟を水平に掛け渡すことが行われ、更なる安全を図っている。  
【０００４】
さらに今後、足場等からの墜落防止等の対策強化を図るため、枠組足場、架設通路及び作業構台からの墜落防止処置等に関し、平成２１年６月１日から労働安全衛生規則の一部を改正する省令が施行され、交差筋違いへの落下防止用下桟の設置が義務化される。
【０００５】
前述のような枠組足場用下桟の先行技術文献として、例えば特許文献１〜３がある。
【０００６】
特許文献１は、枠組足場で用いるＸ形に予め組んだ交差筋違いであり、交差筋違いの一方に軸着用のコ字状ブラケットを設けておいて、前記ブラケットを介して下桟の端を軸着し、前記下桟の他の一端がもう一方の交差筋違いに対して摺動自在に係合している交差筋違いである。
【０００７】
特許文献２は、枠組足場で用いるＸ形に予め組んだ交差筋違いの下方端付近で係止して水平に掛渡される下桟であり、該下桟の左右両端部に斜め撥ね上げの片である貫通孔を設け、該貫通孔に交差筋違いを挿通させ、前記交差筋違いの各バーがともに重なり合うようにして折り畳み可能に組み込んだ下桟付き交差筋違いであり、前記下桟の左右両端部に設ける斜め撥ね上げの片は、パイプによる下桟の端部を偏平に潰し、この潰した端部を屈折させて形成している。
【０００８】
また、前記下桟の左右両端部に設ける斜め撥ね上げの片は、楕円形の環体の約半分をパイプによる下桟の端部の下側に沿わせて溶接して形成している。
【０００９】
特許文献３は、枠組足場のＸ形となる交差筋違いの下桟であって、前記下桟の両端には枠状開口部を具えたスライド金具が固設されており、前記スライド金具の枠状開口部に交差筋違い材の夫々の下端を挿通させることによって、前記交差筋違いに対して摺動自在に取付け、更に前記スライド金具の枠状開口部を、交差筋違い材の引き抜けが阻止される寸法に規制するための抜き止め用金具を、下桟の両端部に設けている。
【００１０】
スライド金具は、固設用水平杆部と、斜め立ち上り杆部と、頂部水平杆部とを、一本の金属丸棒材で折り曲げ形成して成る縦長矩形枠状を呈するものとし、下桟の両端部に対して、その固設用水平杆部の部分を介して固設するように構成している。
【先行技術文献】
【特許文献】
【００１１】
【特許文献１】特許第２６２６９６０号公報
【特許文献２】特許第３０００４４７号公報
【特許文献３】特許第２９４９６８３号公報
【考案の概要】
【考案が解決しようとする課題】
【００１２】
前述した特許文献１の場合は、交差筋違いの一方の斜材に下桟を軸着させるためのブラケットを設けなければならないため、手持ちの交差筋違い本体に加工を施す必要があり、作業自体の手間が増え、作業効率が悪くなる。もしくは最初から交差筋違いに下桟を組み込んだものを購入しなければならず、手持ちの交差筋違いを廃棄することになり、経済的負担が非常に大きい。
【００１３】
特許文献２と特許文献３は、交差筋違いに取り付ける下桟の両端に、前記交差筋違いを挿通させるためのスライド金具が設けられてあるが、下桟の両端ともに交差筋違い上のみの摺動しか行えず、交差筋違いはＸ形であるのに対し、前記下桟は水平材なので、前記下桟の摺動範囲が狭まり、スムーズな摺動動作が見込めない。よって、前記下桟は、交差筋違いへの取付けや取り外し、前記下桟を装着した交差筋違いの折り畳みをスムーズに行えず、扱いにくい。
【００１４】
さらに、交差筋違いが前記下桟のスライド金具から抜け落ちてしまうのを防ぐため、特許文献２では交差筋違いの端部に、特許文献３では下桟の両端部にストッパーが設けられている。しかし、そのようなストッパーが設けられていることにより、更に下桟自体の摺動範囲を狭めることになり、下桟を装着したままの折り畳みが容易ではなくなる可能性がある。
【００１５】
また特許文献２のように交差筋違い自体の端にストッパーを設けるには、前述の特許文献１と同様に、手持ちの交差筋違い本体に加工を施さなければいけないため、作業自体の手間が増え、作業効率が悪くなることや、前記ストッパー付きの交差筋違いを購入することになり、経済的負担となることが考えられる。
【００１６】
本考案は、このような問題点を解消すべくなされたもので、Ｘ形の交差筋違いに容易に効率良く取り付け・取り外しができ、枠組足場の安全を図ることができる落下防止用下桟を提供することを目的としている。
【課題を解決するための手段】
【００１７】
請求項１に係る考案は、折り畳み可能な交差筋違いに装着される枠組足場用下桟であって、開いた状態でＸ形となる交差筋違いの下方付近に水平に掛渡される下桟本体と、該下桟本体の一端に設けられた固定金具と、前記下桟本体の他端に設けられたスライド金具とからなり、前記固定金具は、一端が前記下桟本体に対し回動自在で、他端に前記交差筋違いを挟着する挟着部を有し、前記スライド金具は、一端が前記下桟本体に固着され、内側に前記交差筋違いを摺動自在に挿通させる貫通孔を有していることを特徴とする枠組足場用下桟である。
【００１８】
一対の交差筋違いをＸ形に開くと、下桟本体が一端のスライド金具により交差筋違い上を滑動し、交差筋違いの開閉状態に見合った位置である交差筋違い端部にスライド金具が位置決めされる。もう一方の交差筋違いに対し、下桟本体の一端の固定金具により適切な連結位置を決めることにより、交差筋違いをＸ形に開いて建枠に固定した場合、下桟本体を水平またはほぼ水平状態にすることができる。
【００１９】
請求項２に係る考案は、請求項１に係る枠組足場用下桟において、前記固定金具には、前記下桟本体の端部の回動を制御し、前記下桟本体を水平またはほぼ水平までの回動範囲に制御するストッパーを備えていることを特徴とするものである。
【００２０】
ストッパーで下桟本体が水平またはほぼ水平より下へ時計回り（固定金具が左側にある場合）に回動し、下桟が外れることを防ぎ、容易に下桟本体を適切な位置へ導くことができる。ストッパーとしては下桟との位置関係において、請求項１における締め付けボルトを利用することもできるが、回動範囲を適切な範囲に制限できるものであれば特に限定されない。
【００２１】
請求項３に係る考案は、請求項１または２に係る枠組足場用下桟において、前記固定金具は、該固定金具を開閉させるための蝶番と、内側に前記交差筋違いを挟み込んで締め付けるための１または複数の締め付けボルトを有し、前記締め付けボルトの一つが前記交差筋違いに対し回動自在とするための回動軸を兼ねていることを特徴とするものである。
【００２２】
固定金具に蝶番を設けることにより、固定金具が開閉し、交差筋違いを挟み込んで、締め付けボルトを締め付けることで下桟本体を交差筋違いに固定することができる。締め付けボルトの一つは、下桟端部扁平部と多少隙間をあけた状態で、締め付けて固定し、前記締め付けボルトを軸として、下桟本体が回動できるようにする。
【００２３】
請求項４に係る考案は、請求項１、２または３に係る枠組足場用下桟において、前記スライド金具は、該スライド金具の貫通孔の下方が前記下桟本体に固定され、前記スライド金具の貫通孔自体の鉛直長さ及び水平幅は前記交差筋違いの先端の幅よりも小さく、前記スライド金具の貫通孔の対角長さが交差筋違いの先端の幅より大きく、前記スライド金具に前記交差筋違いを挿通させることにより前記交差筋違いの端部が前記スライド金具に引っかかる寸法になっていることを特徴とするものである。
【００２４】
交差筋違い端部を貫通孔の対角長さ上に挿通させた後、交差筋違い端部が垂直状態を保つことにより、交差筋違い端部が貫通孔の鉛直長さの部分に引っかかり、交差筋違い端部がスライド金具の貫通孔から抜け出してしまうことを防ぐことができる。
【考案の効果】
【００２５】
本考案は、以上のような構成からなるので次のような効果が得られる。
【００２６】
（１）落下防止用下桟を交差筋違いに簡単かつ容易に取り付けをすることができ、交差筋違いに落下防止用下桟を装着したまま折り畳むことも可能なため、作業効率を向上させ、更に安全を図ることができる。また必要に応じ、取り外すこともできる。
【００２７】
（２）交差筋違いを挟み込む固定金具と交差筋違いを挿通させるスライド金具を落下防止用下桟自体に備えているため、交差筋違い自体に加工を施す必要がなく、今までの手持ちの交差筋違いを廃棄することなく、有効活用でき、経済的である。
【００２８】
（３）請求項２に係る考案では、ストッパーを設けることで、下桟の回動範囲を制御し、下桟が交差筋違いから外れてしまうのを防ぐことができる。
【図面の簡単な説明】
【００２９】
【図１】本考案に係る枠組足場用下桟の図であり、（ａ）は下桟本体を取り付けた交差筋違いの正面図、（ｂ）は下桟本体両端部の拡大図である。
【図２】本考案に係る枠組足場用下桟を取り付けた交差筋違いを示す説明図であり、（ａ）は折り畳んだ状態、（ｂ）は開く途中の状態、（ｃ）は開いた状態である。
【図３】本考案に係る枠組足場用下桟の端部のスライド金具の図であり、（ａ）は平面図、（ｂ）は正面図、（ｃ）は貫通孔部分の簡略図である。
【図４】本考案に係る枠組足場用下桟の端部のスライド金具に交差筋違いを貫通させた時の説明図であり、（ａ）は抜け止めがない場合、（ｂ）は枠組足場用下桟とスライド金具の間に抜け止めを設けた例である。
【考案を実施するための形態】
【００３０】
以下、図面に基づいて、本考案の実施の形態を詳細に説明する。
【実施例】
【００３１】
図１（ａ）は、本考案に係る枠組足場用下桟に関し、交差筋違い１に下桟本体２を取り付け、建枠１１に組み込んだ状態を示している。交差筋違いのピン１ａを中心に交差筋違い１がＸ形に開き、下桟本体２の端部にある固定金具３とスライド金具４によって下桟本体２を交差筋違い１へ取り付けている。
【００３２】
図１（ｂ）は、下桟本体２の両端部である固定金具３とスライド金具４の拡大図である。図の左側で示すように、交差筋違いの端部１ｂは扁平状になっており、建枠１１へ取り付けるための穴１ｃを設けている。下桟本体の一方の端部２ａは扁平状になっており、固定金具３の締め付けボルト６を前記下桟本体端部２ａの穴に通して締め付けることによって、下桟本体２に固定金具３を装着することができる。
【００３３】
固定金具３は、上部に蝶番７を備えることにより、固定金具自体３が開閉することができ、交差筋違い１を挟み込むことができる。
【００３４】
固定金具３の上部締め付けボルト５はストッパーを兼ねており、締め付けボルト５に下桟端部扁平部２ａがひっかかり、下桟端部扁平部２ａの回動を制御することができる。故に下桟本体２が水平またはほぼ水平より下へ時計回り（固定金具が左側にある場合）に回動することを防ぎ、容易に下桟本体２を適切な位置へ導くことができる。また、下桟本体が交差筋違いから外れるのを防止することもできる。
【００３５】
固定金具３の下部締め付けボルト６は、下桟端部扁平部２ａの厚み部分に多少の隙間をあけて、締め付けて固定する。前記締め付けボルト６を軸として、下桟本体２が回動することができる。なお必要に応じ、ナット部分を溶接してもよい。
【００３６】
図１（ｂ）では、２個の締め付けボルト５、６にて一例を示しているが、固定金具３の締め付けボルトは１個または複数個設ければよい。
【００３７】
このように下桟本体２が交差筋違い１へ位置決めできた後、建枠１１に交差筋違い１を取り付ける。
【００３８】
図の右側はスライド金具４の拡大図であり、下桟端部２ｂに溶接部８を設け、スライド金具４が交差筋違い１とほぼ垂直になるよう斜めに装着されている。スライド金具４は、交差筋違い端部扁平部１ｂが挿通できる貫通孔を形成している。
【００３９】
図２は、本考案に係る枠組足場用下桟を取り付けた交差筋違い１を徐々に開いていく状態を簡略して示したものであり、（ａ）は棒状に折り畳んで閉じてある状態、（ｂ）はピン１ａを中心に少し開いた状態、（ｃ）はピン１ａを中心にＸ形に開いた状態である。
【００４０】
図３は、本考案に係る枠組足場用下桟の端部２ｂのスライド金具４であり、（ａ）は上から見た図、（ｂ）は正面図、（ｃ）は貫通孔の簡略図である。
【００４１】
スライド金具４の貫通孔自体の鉛直長さをＬ、前記貫通孔の水平幅Ｂ、前記貫通孔の対角長さＤ、交差筋違いの先端部の幅Ｗ、交差筋違いの直径Φとすると、Ｄ＞Ｗ＞Ｌ＞Ｂ＞Φとなるよう構成している。Ｄ＞Ｗとすることにより、交差筋違い端部扁平部１ｂを傾けた状態でスライド金具４の貫通孔に挿通することができ、Ｗ＞Ｌ＞Ｂとすることにより、交差筋違い端部扁平部１ｂがスライド金具４の貫通孔から抜け出ない仕組みになっている。また、Ｂ＞Φとすることで、下桟本体２に対し、交差筋違い１を摺動自在にスライド可能としている。
【００４２】
図４は、本考案に係る枠組足場用下桟のスライド金具４に交差筋違い１を貫通させた時の説明図である。一般的に交差筋違いのブレースの片面が局面で、反対側の面はフラットな形状となっている。その場合、ストッパー５がないと交差筋違い１を開き過ぎた時に、図４（ａ）のようにスライド金具４から交差筋違い１が抜ける場合がある。しかし、例えば図４（ｂ）に示すように交差筋違い１のフラットな形状側にあるスライド金具４と下桟端部２ｂの間に肉盛り溶接９を施すことで、交差筋違い１がスライド金具４から抜けなくなる。
【産業上の利用可能性】
【００４３】
以上に述べたように、本考案は建築、土木の建設現場で用いられる枠組足場の交差筋違いに容易に装着できる転落防止用下桟であり、今後更なる安全性の強化を図ることができる。
【符号の説明】
【００４４】
１…交差筋違い
１ａ…ピン
１ｂ…交差筋違い端部扁平部
１ｃ…交差筋違い端部穴
２…下桟本体
２ａ…下桟端部扁平部
２ｂ…下桟端部
３…固定金具
４…スライド金具
５…締め付けボルト（ストッパー）
６…締め付けボルト（回動軸）
７…蝶番
８…溶接部
９…肉盛り溶接部（抜け止め）
１１…建枠
【図１】
0003151937.tif 000003
【図２】
0003151937.tif 000004
【図３】
0003151937.tif 000005
【図４】
0003151937.tif 000006